(57)【要約】【課題】スミア成分により被写体の画像が高輝度になっても、適正な露出で静止画撮影を行うことができる撮像装置を提供する。【解決手段】電子シャッターとメカシャッターとを備える撮像装置において、ライブビュー撮影中に撮像素子６に入射されている実光量レベルからスミアが発生しているか否かを判定する。そして、スミアが発生していると判定された場合には、電荷蓄積の開始から所定時間経過後に、電子シャッターの電荷転送に関係なくメカシャッター５の後幕走行を行う。【選択図】図５ｂ
2010081351.tif 000002
【特許請求の範囲】
【請求項１】
電子シャッターとメカシャッターとを備える撮像装置において、
ライブビューで静止画撮影を行うライブビュー撮影手段と、
前記ライブビュー撮影手段によるライブビュー撮影中に撮像素子に入射されている実光量レベルからスミアが発生しているか否かを判定する判定手段と、
前記撮像素子に受光されている画像をリセットするリセット手段と、
前記リセット手段によるリセット後の前記撮像素子に電荷蓄積を行う蓄積手段と、
前記判定手段により前記スミアが発生していると判定された場合には、前記蓄積手段による前記電荷蓄積の開始から所定時間経過後に、前記電子シャッターの電荷転送に関係なく前記メカシャッターの後幕走行を行う制御手段と、
を備えることを特徴とする撮像装置。
【請求項２】
前記判定手段により前記スミアが発生していないと判定された場合には、前記制御手段は、前記メカシャッターの後幕走行を行わないように制御することを特徴とする請求項１に記載の撮像装置。
【請求項３】
電子シャッターとメカシャッターとを備える撮像装置において、
ライブビューで動画撮影を行うライブビュー撮影手段と、
前記ライブビュー撮影手段によるライブビュー撮影中に静止画撮影を行う静止画撮影手段と、
前記静止画撮影手段による静止画撮影中に、撮像素子に入射されている実光量レベルからスミアが発生しているか否かを判定する判定手段と、
前記撮像素子に受光されている画像をリセットするリセット手段と、
前記リセット手段によるリセット後の前記撮像素子に電荷蓄積を行う蓄積手段と、
前記判定手段により前記スミアが発生していると判定された場合には、前記蓄積手段による前記電荷蓄積の開始から所定時間経過後に、前記電子シャッターの電荷転送に関係なく前記メカシャッターの後幕走行を行う制御手段と、
を備えることを特徴とする撮像装置。
【請求項４】
前記判定手段により前記スミアが発生していないと判定された場合には、前記制御手段は、前記メカシャッターの後幕走行を行わないように制御することを特徴とする請求項３に記載の撮像装置。
【発明の詳細な説明】
【技術分野】
【０００１】
本発明は、撮像装置に関し、特に、高輝度撮影時に発生するスミアの対策技術に特徴のある撮像装置に関する。
【背景技術】
【０００２】
撮像素子の電荷蓄積時間を制御する、所謂電子シャッター（電子シャッター機能）と機械式シャッター（メカシャッター）とを併用する電子カメラ（撮像装置）としては、例えば、特許文献１に開示のものがある。
【０００３】
特許文献１に開示の電子カメラは、撮影前に、本体に備え付けられた液晶モニタ等でプレビュー動画をモニタする場合や、撮影直前に露出計算（ＡＥ）する場合には、電子シャッターのみを使用する。また、実際に撮影する場合（本撮影時）に限り、メカシャッターと電子シャッターとを併用している。
【０００４】
このような電子カメラにおいて、電子シャッターを使用して取得したプレビュー画像（事前にモニタしている動画）は、メカシャッターを使用して撮影した画像に比べ、スミアと呼ばれる不要信号の漏れ込みによって明るくなる。
【０００５】
このため、撮影前にモニタした画像と、メカシャッターを使用して実際に撮影した画像とは相違するものとなる。また、同様の理由により、電子シャッターのみを使用して露出計算を行うと、スミアの影響によってＡＥが不正確となる。
【０００６】
特許文献２には、以下の構成、機能を有する電子カメラが提案されている。
【０００７】
即ち、上記電子カメラは、撮像素子の電荷蓄積時間を制御する電子シャッターと、撮像素子への入射光路を遮蔽／開放自在なメカシャッターとを併有する。撮像前の露出計算に用いる光量データの取り込み時には、メカシャッターを開放した状態で電子シャッターのみを使用して露光時間を制御する。また、本撮影時には電子シャッターとメカシャッターとを併用して露光時間を制御する。
【０００８】
そして、電子シャッターのみで露光時間を制御した場合に、撮像素子から読み出される光量データ中に含まれるスミア成分の割合を実効スミア率とするとき、以下のようにして、スミアの影響を低減する補正を行う。
【０００９】
即ち、撮像前に電子シャッターだけで露光時間を制御して取得した光量データに基づいて、本撮影時の適正露光を実現する露出制御を行う際に、上記実効スミア率を用いてスミアの影響を低減する補正を行う。
【特許文献１】特開平９−８３８７５号公報
【特許文献２】特開平１１−２３４５７３号公報
【発明の開示】
【発明が解決しようとする課題】
【００１０】
撮像装置において、撮影レンズを通して入射した光束は撮影領域に対して適性輝度になるように電気的補正がなされる。しかし、所定輝度を大幅に超える光束が入射されるとスミアと呼ばれる不要信号の漏れ込みによって撮影画像全体が白くぼけた画像になってしまう。
【００１１】
上記特許文献２記載の提案では、実効スミア率を用いてスミアの影響を低減しているものの、信頼性の高い露出計算を行うには不完全なものであった。
【００１２】
本発明の目的は、スミア成分により被写体の画像が高輝度になっても、適正な露出で静止画撮影を行うことができる撮像装置を提供することにある。
【課題を解決するための手段】
【００１３】
上記目的を達成するために、本発明の撮像装置は、電子シャッターとメカシャッターとを備える撮像装置において、ライブビューで静止画撮影を行うライブビュー撮影手段と、前記ライブビュー撮影手段によるライブビュー撮影中に撮像素子に入射されている実光量レベルからスミアが発生しているか否かを判定する判定手段と、前記撮像素子に受光されている画像をリセットするリセット手段と、前記リセット手段によるリセット後の前記撮像素子に電荷蓄積を行う蓄積手段と、前記判定手段により前記スミアが発生していると判定された場合には、前記蓄積手段による前記電荷蓄積の開始から所定時間経過後に、前記電子シャッターの電荷転送に関係なく前記メカシャッターの後幕走行を行う制御手段とを備えることを特徴とする。
【００１４】
本発明の撮像装置は、電子シャッターとメカシャッターとを備える撮像装置において、ライブビューで動画撮影を行うライブビュー撮影手段と、前記ライブビュー撮影手段によるライブビュー撮影中に静止画撮影を行う静止画撮影手段と、前記静止画撮影手段による静止画撮影中に、撮像素子に入射されている実光量レベルからスミアが発生しているか否かを判定する判定手段と、前記撮像素子に受光されている画像をリセットするリセット手段と、前記リセット手段によるリセット後の前記撮像素子に電荷蓄積を行う蓄積手段と、前記判定手段により前記スミアが発生していると判定された場合には、前記蓄積手段による前記電荷蓄積の開始から所定時間経過後に、前記電子シャッターの電荷転送に関係なく前記メカシャッターの後幕走行を行う制御手段とを備えることを特徴とする。
【発明の効果】
【００１５】
本発明の撮像装置によれば、スミア成分により被写体の画像が高輝度になっても、適正な露出で静止画撮影を行うことができる。
【発明を実施するための最良の形態】
【００１６】
以下、本発明を図面を参照しながら詳細に説明する。
【００１７】
図１は、本発明の実施の形態に係る撮像装置としてのデジタル一眼レフカメラのミラーダウン状態の概略構成図である。
【００１８】
図１において、本デジタル一眼レフカメラはカメラ本体１を備える。撮影レンズ３をカメラ本体１に着脱可能とするためのマウント２は、各種信号を通信し、駆動電源を供給するためのインターフェイス部を有する。
【００１９】
交換可能な撮影レンズ３は、内部にフォーカスレンズ群やズームレンズ群、不図示の絞り装置を有している。図１では、各レンズ群を便宜上１枚のレンズで示したが、実際には多数のレンズにより複雑なレンズ群の組み合わせで構成されている。
【００２０】
ハーフミラーで構成された主ミラー４は、カメラの動作状態に応じて回動可能となっており、被写体をファインダーで観察する時は撮影光路へ斜設され、撮影レンズ３からの光束を折り曲げて後述のファインダー光学系へ導く。また、撮影する時は撮影光路から退避して、撮影レンズ３からの光束を後述の撮像素子６へ導いている。
【００２１】
メカシャッター５は、撮影レンズ３からの光束を後述の撮像素子６に入射制御するためのもので、機構の詳細は後述する。撮像素子６はＣＣＤやＣＭＯＳ等からなる。
【００２２】
主ミラー４とともに回動するサブミラー７は、ハーフミラーで構成されており、主ミラー４が撮影光路へ斜設されている時に、主ミラー４を透過した光束を折り曲げて後述のＡＦセンサ８へ導く光束と、透過して撮像素子６へ導く光束に分割している。
【００２３】
ＡＦセンサ８は、２次結像レンズや複数のＣＣＤからなるエリアセンサ等から構成されており、周知の位相差方式で焦点検知可能となっている。
【００２４】
撮影レンズ３の一次結像面に配置されたピント板９の入射面にはフレネルレンズ（集光レンズ）が設けられ、射出面には被写体像（ファインダー像）が結像している。
【００２５】
ファインダー光路変更用のペンタプリズム１０は、ピント板９の射出面に結像した被写体像を正立正像に補正する。
【００２６】
ここで、ピント板９、ペンタプリズム１０、接眼レンズ１１、１２により構成されている光学系をファインダー光学系と称する。
【００２７】
輝度検知手段であるＡＥセンサ１３は、多分割された撮影画面内の各領域に対応したフォトダイオードから構成されており、ピント板９の射出面に結像した被写体像の輝度を測定する。液晶モニタ１４は、撮影した画像や各種の撮影情報を表示する。
【００２８】
ここでメカシャッター５の構成を説明する。
【００２９】
図２は、図１におけるメカシャッター５の概略正面図である。
【００３０】
図２において、シャッター地板５１は、撮影光束を通過させるアパーチャー５１ａを有する、チャージレバー５２は、メカシャッター５を駆動するための駆動バネをチャージする。
【００３１】
先幕駆動レバー５３は、メカシャッター５の先幕を駆動するもので、同一回転軸上に不図示の先幕駆動バネが設けられている。先幕アマチャー５４は、先幕駆動レバー５３に固定されている。
【００３２】
先幕アマチャー軸５５は、先幕アマチャー５４を先幕駆動レバー５３に固定する。先幕吸収ゴム５６は、先幕アマチャー軸５５と先幕駆動レバー５３の間に存在し、衝撃を吸収する。
【００３３】
先幕ヨーク５７は、先幕アマチャー５４を電磁的に保持する。先幕コイル５８は、先幕ヨーク５７に電磁力を発生させる。先幕ボビン５９は、先幕コイル５８を保持する。
【００３４】
後幕駆動レバー６１は、メカシャッター５の後幕を駆動するもので、同一回転軸上に不図示の後幕駆動バネが設けられている。後幕アマチャー６２は、後幕駆動レバー６１に固定される。
【００３５】
後幕アマチャー軸６３は、後幕アマチャー６２を後幕駆動レバー６１に固定する。後幕吸収ゴム６４は、後幕アマチャー軸６３と後幕駆動レバー６１の間に存在し、衝撃を吸収する。
【００３６】
後幕ヨーク６５は、後幕アマチャー６２を電磁的に保持する。後幕コイル６６は、後幕ヨーク６５に電磁力を発生させる。後幕ボビン６７は、後幕コイル６６を保持する。
【００３７】
図３は、図２のメカシャッター５の羽根を示す背面図である。
【００３８】
図３において、先幕アーム１０１は、メカシャッター５の先幕を構成する先羽根群を保持するもので、先幕駆動レバー５３の足部５３ａと係合し、先幕駆動レバー５３と連動して回転中心１０１ａを中心に回動（回転）する。
【００３９】
先幕従動アーム１０２は、先羽根群を保持するとともに、先幕アーム１０１と連動し、回転中心１０２ａを中心に回動する。先羽根１０３，１０４，１０５，１０６は、先幕アーム１０１と先幕従動アーム１０２に保持され連動して動作するもので、先幕（先羽根群）１５０を構成している。
【００４０】
後幕アーム１１１は、メカシャッター５の後幕を構成する後羽根群を保持するもので、後幕駆動レバー６１の足部６１ａと係合し、後幕駆動レバー６１と連動して回転中心１１１ａを中心に回動する。
【００４１】
後幕従動アーム１１２は、後羽根群を保持するとともに、後幕アーム１１１と連動し、回転中心１１２ａを中心に回動する。後羽根１１３，１１４，１１５，１１６は、後幕アーム１１１と後幕従動アーム１１２に保持され連動して動作するもので、後幕（後羽群）１６０を構成している。
【００４２】
図４は、図１のデジタル一眼レフカメラの電気的構成を示すブロック図である。
【００４３】
図４において、マイクロコンピュータ（中央処理装置；以下、ＭＰＵと記す）２０は、カメラ全体の制御を行う。メモリコントローラ２１は、画像データの各種制御を行う。ＥＥＰＲＯＭ２２は、各種制御を行うための設定、調整データ等を格納している。
【００４４】
撮影レンズ３内にあるレンズ制御回路２３は、マウント２を介してＭＰＵ２０と接続されており、後述の各情報に基づいてフォーカスレンズの焦点調節（合焦駆動）や絞り駆動を行う。
【００４５】
焦点検知回路２４は、ＡＦセンサ８のエリアセンサの蓄積制御と読み出し制御とを行って、各測距点の画素情報をＭＰＵ２０に出力する。
【００４６】
ＭＰＵ２０は、各測距点の画素情報から周知の位相差検知法による焦点検知を行い、検知した焦点検知情報をレンズ制御回路２３へ送出してフォーカスレンズの焦点調節を行わせる。この焦点検知から焦点調節までの一連の動作をオートフォーカス（以下、ＡＦと記す）動作と称する。
【００４７】
測光回路２５は、ＡＥセンサ１３の各領域からの輝度信号をＭＰＵ２０に出力する。ＭＰＵ２０は、輝度信号をＡ／Ｄ変換して被写体の測光情報とし、この測光情報を用いて撮影露出を演算し設定する。この測光情報を得てから撮影露出の設定までの一連の動作をＡＥ動作と称する。
【００４８】
モータ駆動回路２６は、主ミラー４を駆動する不図示のモータやメカシャッター５のチャージを行う不図示のモータを制御する。
【００４９】
シャッター駆動回路２７は、メカシャッター５の先幕１５０をチャージ状態で保持する先幕コイル５８と後幕１６０をチャージ状態で保持する後幕コイル６６への電力供給制御を行っている。
【００５０】
ＤＣ／ＤＣコンバータ２８は、電源２９の電圧を各回路に必要な電圧に変換する。モードボタン３０は、操作したまま後述の電子ダイヤル３２を操作すると、そのカウントに応じて撮影モードが変更され、操作を止めると撮影モードが決定される。
【００５１】
レリーズボタン３１は、第１ストローク（半押し）操作でＯＮし、測光（ＡＥ）、ＡＦ動作を開始させるためのスイッチであるＳＷ１と、第２ストローク（全押し）操作でＯＮし、露光動作を開始させるためのスイッチであるＳＷ２の信号をＭＰＵ２０へ出力する。
【００５２】
電子ダイヤル３２は、ダイヤルの回転クリックに応じたＯＮ信号がＭＰＵ２０内の不図示のアップダウンカウンタに出力され、その数がカウントされる。このカウントに応じて各種の数値やデータ等の選択が行われる。
【００５３】
電源ボタン３３は、操作するとカメラの電源がＯＮ／ＯＦＦされる。動画開始ボタン３４は、カメラ内部の制御を動画系に切り替えるとともに、絞りを絞り優先モードに設定し、動画の記録を開始する。
【００５４】
ＣＤＳ（相関２重サンプリング）／ＡＧＣ（自動ゲイン調整）回路４０は、撮像素子６から出力される画像信号をサンプルホールド及び自動ゲイン調整する。Ａ／Ｄ変換器４１は、ＣＤＳ／ＡＧＣ回路４０のアナログ出力をデジタル信号に変換する。
【００５５】
ＴＧ（タイミング発生）回路４２は、撮像素子６に駆動信号を、ＣＤＳ／ＡＧＣ回路４０にサンプルホールド信号を、Ａ／Ｄ変換器４１にサンプルクロック信号を供給する。ここでメモリコントローラ２１は、撮像素子６から出力される画像信号をＣＤＳ／ＡＧＣ回路４０、Ａ／Ｄ変換器４１を経て受けて、コントラスト検知方式により被写体像の焦点検知を行うことが可能である。
【００５６】
ＴＧ（タイミング発生）回路４２、メモリコントローラ２１及びＭＰＵ２０は、電子シャッター機能を有する。
【００５７】
ＳＤＲＡＭ４３は、Ａ／Ｄ変換器４１でデジタル変換された画像等を一時的に記録するためのメモリである。画像処理回路４４は、画像のＹ／Ｃ（輝度信号／色差信号）分離、ホワイトバランス補正、γ補正等を行う、
画像圧縮／伸張回路４５は、画像をＪＰＥＧ等の形式に従って圧縮し、かつ、圧縮された画像の伸張を行う。ここでメモリコントローラ２１は、撮像素子６から出力される画像信号を画像処理回路４４で画像処理することにより、被写体の測光情報を得ることが可能である。
【００５８】
Ｄ／Ａ変換器４６は、ＳＤＲＡＭ４３や後述するメディア４８に記録された画像を液晶モニタ１４に表示するために、画像をアナログ信号に変換する。Ｉ／Ｆ（インターフェイス）４７は、画像を記録保存するためのメディア４８と接続される。
【００５９】
続いてカメラの動作についてフローチャートを用いて説明する。
【００６０】
（第１の実施の形態）
図５（図５ａ、図５ｂ）は、図４のデジタル一眼レフカメラによって実行される静止画撮影処理の手順を示すフローチャートである。
【００６１】
本フローチャートは、ＭＰＵ２０の制御の下に実行される。後述する図９のフローチャートも同様である。
【００６２】
図５において、ステップＳ１０１では、電源ボタン３３を操作して、カメラの電源をＯＮする。
【００６３】
ステップＳ１０２では、各種ボタンを操作してカメラの各種設定を行う。ここでは、モードボタン３０を操作して撮影モードをシャッタースピード優先ＡＥに設定し、続いて電子ダイヤル３２を操作してシャッタースピードの設定を行う。
【００６４】
ステップＳ１０３では、撮影にライブビューを使用するか否かの判定を行い、ライブビュー撮影がＯＮされていればライブビュー撮影ルーチンのステップＳ１２１へ進み、ＯＮされていなければ通常撮影ルーチンのステップＳ１０４へ進む。
【００６５】
まず、通常撮影が選択されている場合の動作ルーチンを説明する。
【００６６】
ステップＳ１０４では、レリーズボタン３１を半押しして、ＳＷ１をＯＮする。
【００６７】
ステップＳ１０５では、所定のＡＦ動作を行う。
【００６８】
ステップＳ１０６では、所定のＡＥ動作を行う。
【００６９】
ステップＳ１０７では、レリーズボタン３１が全押しされて、ＳＷ２がＯＮされたか否かの判定を行い、ＯＮされていればステップＳ１０８へ進み、ＯＮされていなければステップＳ１０４へ戻る。
【００７０】
ステップＳ１０８では、演算された撮影露出値に従って、レンズ制御回路２３により撮影レンズ３の絞りを駆動する。
【００７１】
ステップＳ１０９では、シャッター駆動回路２７により先幕コイル５８、後幕コイル６６に通電制御を行う。通電されると先幕ヨーク５７と先幕アマチャー５４、後幕ヨーク６５と後幕アマチャー６２がそれぞれ互いに吸着される。
【００７２】
ステップＳ１１０では、モータ駆動回路２６によりモータを通電制御し、チャージレバー５２を駆動してメカシャッター５をチャージ状態から解除する。この時のメカシャッター５の状態が図２、図３である。
【００７３】
ステップＳ１１１では、モータ駆動回路２６によりモータを制御し、主ミラー４とサブミラー７を撮影光路から退避（所謂、ミラーアップ）させる。
【００７４】
ステップＳ１１２では、メモリコントローラ２１により撮像素子６で受光される画像の読み込みを開始する。
【００７５】
ステップＳ１１３では、メカシャッター５の先幕１５０を走行させるため、シャッター駆動回路２７により先幕コイル５８の通電をＯＦＦする。その結果、先幕ヨーク５７で発生していた電磁力が消滅して先幕ヨーク５７と先幕アマチャー５４との電磁的な吸引がなくなり、先幕駆動レバー５３は不図示の先幕駆動バネの付勢力により右回転をする。
【００７６】
すると、先幕駆動レバー５３と連動している先幕１５０は、アパーチャー５１ａを覆っていた位置から退避した位置へと走行する。この時のカメラの状態が図６で、メカシャッター５の状態が図７、図８である。
【００７７】
ステップＳ１１４では、撮像素子６は電荷蓄積を開始する。
【００７８】
ステップＳ１１５では、先幕１５０走行（先幕コイル５８の通電ＯＦＦ）からの時間経過を計測し、設定されているシャッタースピードに応じた時間が経過したか否かの判定を行い、経過していなければ引き続き時間計測を行い、経過したらステップＳ１１６へ進む。
【００７９】
ステップＳ１１６では、メカシャッター５の後幕１６０を走行させるため、シャッター駆動回路２７により後幕コイル６６の通電をＯＦＦする。その結果、後幕ヨーク６５で発生していた電磁力が消滅して後幕ヨーク６５と後幕アマチャー６２との電磁的な吸引がなくなり、後幕駆動レバー６１は不図示の後幕駆動バネの付勢力により右回転をする。
【００８０】
すると、後幕駆動レバー６１と連動している後幕１６０は、アパーチャー５１ａから退避した位置から覆う位置へと走行する。
【００８１】
ここで、シャッタースピードが長秒時でなければ、後幕コイル６６に通電を開始するステップＳ１０９から終了するステップＳ１１５までの時間は、数十ミリ秒〜数百ミリ秒であるため、後幕コイル６６の温度上昇は少ない。従って、後幕１６０の走行開始タイミングや走行曲線が変化することがなく、精度ムラや露出ムラ等は発生しない。
【００８２】
ステップＳ１１７では、メモリコントローラ２１により撮像素子６で受光される画像の読み込みを終了し、ＳＤＲＡＭ４３に一時記録されている画像をメディア４８へ保存記録する。
【００８３】
ステップＳ１１８では、モータ駆動回路２６によりモータを制御し、撮影光路から退避している主ミラー４とサブミラー７を、撮影光束をファインダーへと反射し導く観察位置へ駆動（所謂、ミラーダウン）する。
【００８４】
ステップＳ１１９では、モータ駆動回路２６によりモータを通電制御し、チャージレバー５２を駆動してメカシャッター５をチャージする。
【００８５】
ステップＳ１２０では、電源ボタン３３を操作して、カメラの電源がＯＦＦされたか否かを判定し、ＯＦＦされていなければステップＳ１０２へ戻り次の撮影に備え、ＯＦＦされていれば一連の撮影動作を終了する。
【００８６】
次に、ライブビュー撮影が選択されている場合の動作ルーチンを説明する。
【００８７】
ステップＳ１２１では、レリーズボタン３１を半押しして、ＳＷ１をＯＮする。
【００８８】
ステップＳ１２２では、シャッター駆動回路２７により先幕コイル５８、後幕コイル６６に通電制御を行う。通電されると先幕ヨーク５７と先幕アマチャー５４、後幕ヨーク６５と後幕アマチャー６２がそれぞれ互いに吸着される。
【００８９】
ステップＳ１２３では、モータ駆動回路２６によりモータを通電制御し、チャージレバー５２を駆動してメカシャッター５をチャージ状態から解除する。この時のメカシャッター５の状態が図２、図３である。
【００９０】
ステップＳ１２４では、モータ駆動回路２６によりモータを制御し、主ミラー４とサブミラー７をミラーアップする。
【００９１】
ステップＳ１２５では、メカシャッター５の先幕１５０を走行させるため、シャッター駆動回路２７により先幕コイル５８の通電をＯＦＦする。その結果、先幕ヨーク５７で発生していた電磁力が消滅して先幕ヨーク５７と先幕アマチャー５４との電磁的な吸引がなくなり、先幕駆動レバー５３は不図示の先幕駆動バネの付勢力により右回転をする。
【００９２】
すると、先幕駆動レバー５３と連動している先幕１５０は、アパーチャー５１ａを覆っていた位置から退避した位置へと走行する。この時のカメラの状態が図８で、メカシャッター５の状態が図７、図８である。
【００９３】
ステップＳ１２６では、メモリコントローラ２１により撮像素子６で受光される画像の読み込み一時記録を開始する。
【００９４】
ステップＳ１２７では、メモリコントローラ２１によりＳＤＲＡＭ４３に一時記録されている画像を液晶モニタ１４に連続的に表示することにより、ライブビューを開始する。
【００９５】
ステップＳ１２８では、ミラーアップによりＡＦセンサ８が使用できないため、撮像素子６を用いたコントラスト検知方式のＡＦ（所謂、ＴＶ−ＡＦ）動作を行う。
【００９６】
ステップＳ１２９では、ミラーアップによりＡＥセンサ１３が使用できないため、撮像素子６を用いたＡＥ（所謂、ＴＶ−ＡＥ）動作を行う。
【００９７】
ステップＳ１３０では、レリーズボタン３１が全押しされて、ＳＷ２がＯＮされたか否かの判定を行い、ＯＮされていればステップＳ１３１へ進み、ＯＮされていなければステップＳ１２８へ戻る。
【００９８】
ステップＳ１２１、Ｓ１２７、Ｓ１３０は、ライブビューで静止画撮影を行うライブビュー撮影手段として機能する。
【００９９】
ステップＳ１３１では、撮像素子６に入射されている実光量レベルを測定する。撮像素子６に所定以上の光量が入射されると撮像素子６が飽和状態となり、つまり必要以上の光量が撮像素子６へ入射されると不要信号となり、スミアと呼ばれる現象を引き起こす。そこで、スミアが発生する光量と撮像素子６の読み込み時間、電子シャッターの撮像時間からスミアが発生するか否かを判定する。
【０１００】
ステップＳ１３１は、ライブビュー撮影手段によるライブビュー撮影中に撮像素子６に入射されている実光量レベルからスミアが発生しているか否かを判定する判定手段として機能する。
【０１０１】
スミアが発生しない場合はステップＳ１３２へ進み、スミアが発生すると判定されるとステップＳ１３８へ進む。
【０１０２】
ステップＳ１３２では、ライブビューを終了する。
【０１０３】
ステップＳ１３３では、ＴＶ−ＡＥの結果により演算された撮影露出に従って、レンズ制御回路２３により撮影レンズ３の絞りを駆動する。
【０１０４】
ステップＳ１３４では、メモリコントローラ２１により撮像素子６に受光されている画像をリセットして、撮像素子６の受光状態を初期状態、即ち何も撮像されていない状態に戻す。
【０１０５】
ステップＳ１３５では、撮像素子６の電荷蓄積を開始する。
【０１０６】
ステップＳ１３６では、撮像素子６のリセット動作からの時間経過を計測し、設定されているシャッタースピードに応じた時間が経過したか否かの判定を行い、経過していなければ引き続き時間計測を行い、経過したらステップＳ１３７へ進む。
【０１０７】
ステップＳ１３７では、メモリコントローラ２１により撮像素子６で受光される画像の読み込みを終了し、ＳＤＲＡＭ４３に一時記録されている画像をメディア４８へ保存記録する。その後、ステップＳ１１８へ進む。即ち、ステップＳ１３１にて、スミアが発生しないと判定される場合には、シャッター後幕を走行させることなく画像を保存記録する。
【０１０８】
一方、ステップＳ１３１にて、スミアが発生すると判定されると、これ以上、撮像素子６に光量の蓄積をさせるのを防止するために、直ちにステップＳ１３８で、ライブビューを終了させる。
【０１０９】
そして、ステップＳ１３９で、ＴＶ−ＡＥの結果により演算された撮影露出に従って、レンズ制御回路２３により撮影レンズ３の絞りを駆動させる。
【０１１０】
ステップＳ１４０では、メモリコントローラ２１により撮像素子６に受光されている画像をリセットして、撮像素子６の受光状態を初期状態、即ち何も撮像されていない状態に戻す。
【０１１１】
ステップＳ１４０は、判定手段によりスミアが発生していると判定された場合に、撮像素子６に受光されている画像をリセットするリセット手段として機能する。
【０１１２】
ステップＳ１４１では、撮像素子６の電荷蓄積を開始する。
【０１１３】
ステップＳ１４１は、リセット手段によるリセット後の撮像素子６に電荷蓄積を行う蓄積手段として機能する。
【０１１４】
ステップＳ１４２では、撮像素子６のリセット動作からの時間経過を計測し、設定されているシャッタースピードに応じた時間が経過したか否かの判定を行い、経過していなければ引き続き時間計測を行い、経過したらステップＳ１４３へ進む。
【０１１５】
ステップＳ１４３では、メカシャッター５の後幕１６０を走行させる。メカシャッター５の後幕走行を電子シャッターの後幕走行（電荷転送）に関係無く、先に行うことで、スミア成分が発生する前に光束を遮光し、撮像素子６の露光量の飽和を防ぎ、スミア成分が含まれない電荷蓄積を行うことが可能となる。
【０１１６】
ステップＳ１４３は、蓄積手段による電荷蓄積の開始から所定時間経過後に、電子シャッターの電荷転送に関係なく、メカシャッター５の後幕走行を行う制御手段として機能する。
【０１１７】
ステップＳ１４４では、メモリコントローラ２１により撮像素子６で受光される画像の読み込みを終了し、ＳＤＲＡＭ４３に一時記録されている画像をメディア４８へ保存記録する。その後、ステップＳ１１８へ進む。
【０１１８】
以上のように、第１の実施の形態では、ライブビューで電子シャッターによる静止画撮影を行った際に、スミア成分を有する高輝度の被写体が取得されると、電子シャッターの後幕制御よりメカシャッターの後幕駆動を優先して駆動させてスミア成分を遮光する。これにより、適正な露出で静止画撮影を行うことが可能な撮像装置を提供することができる。
【０１１９】
（第２の実施の形態）
図９（図９ａ、図９ｂ）は、図４のデジタル一眼レフカメラによって実行される動画撮影処理の手順を示すフローチャートである。
【０１２０】
図９において、ステップＳ２０１では、電源ボタン３３を操作して、カメラの電源をＯＮする。
【０１２１】
ステップＳ２０２では、動画を開始するための動画ボタン３４をＯＮすることで、一連の動画を記録するための諸設定及び記録を開始する。
【０１２２】
動画の記録システムにおいては、撮影光学系を通過した被写体光束が直接、撮像素子６に結像される状態となり、ここで被写体像が撮像素子６により電気的な画像データに変換され、１フレーム分毎の画像データが所定の時間間隔で順次読み出される。
【０１２３】
撮像素子６から読み出される被写体像に応じた画像データに基づいて測光が行われ、被写体の輝度に応じて適正な露出状態を得るシャッター速度を決定する。そして、このシャッター速度に相当する時間だけ電子シャッターをＯＮ状態として、撮像素子６への電荷蓄積時間を調節する。
【０１２４】
撮像素子６によって光電変換された画像データは、動画像として図示を省略した記録媒体にフレーム毎に順次記録されていく。このような一連の設定はステップＳ２０３、ステップＳ２０４にて実行される。
【０１２５】
ステップＳ２０３では、各種設定ボタンを操作してカメラの撮影区分を動画設定にする。
【０１２６】
ステップＳ２０４では、動画撮影を行うために、絞り設定を絞り優先モードに自動的に切り替える。
【０１２７】
ステップＳ２０５では、動画撮影モードに設定されたため、ライブビューモードに自動的に切り替わり、カメラ本体１背面の液晶モニタ１４に被写体像を動画像として表示する。
【０１２８】
ステップＳ２０２乃至Ｓ２０５は、動画でライブビュー撮影を行うライブビュー撮影手段として機能する。
【０１２９】
ステップＳ２０６では、動画撮影中での静止画撮影を行うために、レリーズボタン３１を半押しして、ＳＷ１をＯＮする。
【０１３０】
ステップＳ２０７では、シャッター駆動回路２７により先幕コイル５８、後幕コイル６６に通電制御を行う。通電されると先幕ヨーク５７と先幕アマチャー５４、後幕ヨーク６５と後幕アマチャー６２がそれぞれ互いに吸着される。
【０１３１】
ステップＳ２０８では、モータ駆動回路２６によりモータを通電制御し、チャージレバー５２を駆動してメカシャッター５をチャージ状態から解除する。この時のメカシャッター５の状態が図２、図３である。
【０１３２】
ステップＳ２０９では、モータ駆動回路２６によりモータを制御し、主ミラー４とサブミラー７をミラーアップする。
【０１３３】
ステップＳ２１０では、メカシャッター５の先幕１５０を走行させるため、シャッター駆動回路２７により先幕コイル５８の通電をＯＦＦする。その結果、先幕ヨーク５７で発生していた電磁力が消滅して先幕ヨーク５７と先幕アマチャー５４との電磁的な吸引がなくなり、先幕駆動レバー５３は不図示の先幕駆動バネの付勢力により右回転をする。
【０１３４】
すると、先幕駆動レバー５３と連動している先幕１５０は、アパーチャー５１ａを覆っていた位置から退避した位置へと走行する。この時のカメラの状態が図６で、メカシャッター５の状態が図７、図８である。
【０１３５】
ステップＳ２１１では、メモリコントローラ２１により撮像素子６で受光される画像を読み込んでＳＤＲＡＭ４３に一時記録を開始する。
【０１３６】
ステップＳ２１２では、メモリコントローラ２１によりＳＤＲＡＭ４３に一時記録されている画像を液晶モニタ１４に連続的に表示することにより、ライブビューを開始する。
【０１３７】
ステップＳ２１３では、ミラーアップによりＡＦセンサ８が使用できないため、撮像素子６を用いたコントラスト検知方式のＡＦ（所謂、ＴＶ−ＡＦ）動作を行う。
【０１３８】
ステップＳ２１４では、ミラーアップによりＡＥセンサ１３が使用できないため、撮像素子６を用いたＡＥ（所謂、ＴＶ−ＡＥ）動作を行う。
【０１３９】
ステップＳ２１５では、レリーズボタン３１が全押しされて、ＳＷ２がＯＮされたか否かの判定を行い、ＯＮされていればステップＳ２１６へ進み、ＯＮされていなければステップＳ２１３へ戻る。
【０１４０】
ステップＳ２０６及びＳ２１５は、ライブビュー撮影手段によるライブビュー撮影中に静止画撮影を行う静止画撮影手段として機能する。
【０１４１】
ステップＳ２１６では、撮像素子６に入射されている実光量レベルを測定する。撮像素子６に所定以上の光量が入射されると撮像素子６が飽和状態となり、つまり必要以上の光量が撮像素子６へ入射されると不要信号となり、スミアと呼ばれる現象を引き起こす。
そこで、スミアが発生する光量と撮像素子６の読み込み時間、電子シャッターの撮像時間からスミアが発生するか否かを判定する。
【０１４２】
ステップＳ２１６、静止画撮影手段による静止画撮影中に、撮像素子に入射されている実光量レベルからスミアが発生しているか否かを判定する判定手段として機能する。
【０１４３】
スミアが発生しない場合はステップＳ２１７へ進み、スミアが発生すると判定されるとステップＳ２２８へ進む。
【０１４４】
ステップＳ２１７では、ライブビューを終了する。
【０１４５】
ステップＳ２１８では、ＴＶ−ＡＥの結果により演算された撮影露出に従って、レンズ制御回路２３により撮影レンズ３の絞りを駆動する。
【０１４６】
ステップＳ２１９では、メモリコントローラ２１により撮像素子６に受光されている画像をリセットして、撮像素子６の受光状態を初期状態、即ち、何も撮像されていない状態に戻す。
【０１４７】
ステップＳ２２０では、ステップＳ２１１で読み込んできた画像のＳＤＲＡＭ４３への一時記録を開始する。
【０１４８】
ステップＳ２２１では、撮像素子６のリセット動作からの時間経過を計測し、設定されているシャッタースピードに応じた時間が経過したか否かの判定を行い、経過していなければ引き続き時間計測を行い、経過したらステップＳ２２２へ進む。
【０１４９】
ステップＳ２２２では、メモリコントローラ２１により撮像素子６で受光される画像の読み込みを終了し、ＳＤＲＡＭ４３に一時記録されている画像をメディア４８へ保存記録する。その後、ステップＳ２２３へ進む。即ち、ステップＳ２１６にて、スミアが発生しないと判定される場合には、シャッター後幕を走行させることなく画像を保存記録する。
【０１５０】
ステップＳ２１６において、スミアが発生すると判定されると、これ以上、撮像素子６に光量の蓄積をさせるのを防止するために、直ちにステップＳ２２８で、ライブビューを終了させる。そして、ステップＳ２２９で、ＴＶ−ＡＥの結果により演算された撮影露出に従って、レンズ制御回路２３により撮影レンズ３の絞りを駆動させる。
【０１５１】
ステップＳ２３０では、メモリコントローラ２１により撮像素子６に受光されている画像をリセットして、撮像素子６の受光状態を初期状態、即ち、何も撮像されていない状態に戻す。
【０１５２】
ステップＳ２３１では、撮像素子６の電荷蓄積を開始する。
【０１５３】
ステップＳ２３２では、撮像素子６のリセット動作からの時間経過を計測し、設定されているシャッタースピードに応じた時間が経過したか否かの判定を行い、経過していなければ引き続き時間計測を行い、経過したらステップＳ２３３へ進む。
【０１５４】
ステップＳ２３３では、メカシャッター５の後幕１６０を走行させる。メカシャッター後幕走行制御においては、シャッター駆動回路２７により後幕コイル６６の通電をＯＦＦする。その結果、後幕ヨーク６５で発生していた電磁力が消滅して後幕ヨーク６５と後幕アマチャー６２との電磁的な吸引がなくなり、後幕駆動レバー６１は不図示の後幕駆動バネの付勢力により右回転をする。
【０１５５】
すると、後幕駆動レバー６１と連動している後幕１６０は、アパーチャー５１ａから退避した位置から覆う位置へと走行する。
【０１５６】
ステップＳ２３４では、メモリコントローラ２１により撮像素子６で受光される画像の読み込みを終了し、ＳＤＲＡＭ４３に一時記録されている画像をメディア４８へ保存記録する。その後、ステップＳ２２３へ進む。
【０１５７】
ステップＳ２２３では、メモリコントローラ２１により撮像素子６で受光される画像の読み込みを終了し、ＳＤＲＡＭ４３に一時記録されている画像をメディア４８へ保存記録する。
【０１５８】
ステップＳ２２４では、モータ駆動回路２６によりモータを制御し、撮影光路から退避している主ミラー４とサブミラー７を、撮影光束をファインダーへと反射し導く観察位置へ駆動（所謂、ミラーダウン）する。
【０１５９】
ステップＳ２２５では、モータ駆動回路２６によりモータを通電制御し、チャージレバー５２を駆動してメカシャッター５をチャージする。
【０１６０】
ステップＳ２２６では、動画撮影を中止もしくは中断するために動画ボタン３４をＯＦＦする。
【０１６１】
ステップＳ２２７では、電源ボタン３３を操作して、カメラの電源がＯＦＦされたか否かを判定し、ＯＦＦされていなければステップＳ２０２へ戻り、次の撮影に備え、ＯＦＦされていれば一連の撮影動作を終了する。
【０１６２】
図１０に、シャッター幕走行曲線を示す。
【０１６３】
以上のように、第２の実施の形態では、ライブビューで動画を撮影している途中で静止画撮影を行った際に、スミア成分を有する高輝度の被写体が取得されると、電子シャッター後幕制御よりメカシャッター後幕駆動を優先して駆動させてスミア成分を遮光する。これにより、適正な露出で静止画撮影を行うことが可能な撮像装置を提供することができる。
【図面の簡単な説明】
【０１６４】
【図１】本発明の実施の形態に係る撮像装置としてのデジタル一眼レフカメラのミラーダウン状態の概略構成図である。
【図２】図１におけるメカシャッター５の概略正面図である。
【図３】図２のメカシャッター５の羽根を示す背面図である。
【図４】図１のデジタル一眼レフカメラの電気的構成を示すブロック図である。
【図５ａ】図４のデジタル一眼レフカメラによって実行される静止画撮影処理の手順を示すフローチャートである。
【図５ｂ】図４のデジタル一眼レフカメラによって実行される静止画撮影処理の手順を示すフローチャートである。
【図６】本発明の実施の形態に係る撮像装置としてのデジタル一眼レフカメラのミラーアップ状態の概略構成図である。
【図７】図６におけるメカシャッター５の概略正面図である。
【図８】図７のメカシャッター５の羽根を示す背面図である。
【図９ａ】図４のデジタル一眼レフカメラによって実行される動画撮影処理の手順を示すフローチャートである。
【図９ｂ】図４のデジタル一眼レフカメラによって実行される動画撮影処理の手順を示すフローチャートである。
【図１０】シャッター幕走行曲線を示す図である。
【符号の説明】
【０１６５】
５  メカシャッター
６  撮像素子
１４  液晶モニタ
２０  ＭＰＵ
２１  メモリコントローラ
３１  レリーズボタン
４２  ＴＧ回路
１５０  先幕
１６０  後幕
【図１】
2010081351.tif 000003
【図２】
2010081351.tif 000004
【図３】
2010081351.tif 000005
【図４】
2010081351.tif 000006
【図５ａ】
2010081351.tif 000007
【図５ｂ】
2010081351.tif 000008
【図６】
2010081351.tif 000009
【図７】
2010081351.tif 000010
【図８】
2010081351.tif 000011
【図９ａ】
2010081351.tif 000012
【図９ｂ】
2010081351.tif 000013
【図１０】
2010081351.tif 000014